(57)【特許請求の範囲】
【請求項１】
Ｌ字型に接合される二枚の廻り側板によって廻り段板の外側端部が支持される廻り段部と、平行に配置される二枚の直側板によって矩形段板の両端部がそれぞれ支持される直状部と、を有する木造建築の階段室内に設置される内階段において、
廻り段部における階下側の床面上に、階段室の内壁と接触しない自立フレームが階段室の内壁から内側へ間隔を置いた位置に形成され、
廻り側板及び廻り段板が、階段室の内壁から間隔を置いた位置で、内壁から独立して自立フレーム上に支持され、
直側板の上端部又は下端部のいずれかが、廻り段部の自立フレーム上に支持され、直側板及び矩形段板が、階段室の内壁から間隔を置いた位置で、内壁から独立して支持されていることを特徴とする高遮音階段。
【請求項２】
直状部が、階下側の床面と廻り段部との間に形成される階下側直状部と、廻り段部と階上側の上段框との間に形成される階上側直状部とを含み、
階下側直状部の直側板の上端部、及び、階上側直状部の直側板の下端部が自立フレーム上に支持されていることを特徴とする請求項１に記載の高遮音階段。
【請求項３】
階下側直状部を構成する直側板の各下端部、及び、階上側直状部を構成する直側板の各上端部に、防振材が配置されていることを特徴とする、請求項２に記載の高遮音階段。
【請求項４】
自立フレームのベースの下側に、防振材が配置されていることを特徴とする、請求項１〜３のいずれかに記載の高遮音階段。
【請求項５】
階段室の内壁の内部に、防振材が配置されていることを特徴とする、請求項１〜４のいずれかに記載の高遮音階段。
【発明の詳細な説明】
【技術分野】
【０００１】
本発明は、木造建築において施工される内階段に関し、特に、使用時における騒音の発生を可及的に抑制するとともに、階段室外への振動の伝達を効果的に遮断できる高遮音階段に関する。
【背景技術】
【０００２】
小規模な（例えば、入居世帯数が４〜１２戸程度の）二階建て賃貸用木造集合住宅には様々な形態があり、従来は、二階の入居世帯用の共同階段が建屋の外壁に設置されているタイプのものが主流であったが、近年では、二階の入居世帯用の玄関が一階に住戸別に設置され、それらの二階用の住戸別玄関が、一階の入居世帯用の住戸別玄関と交互に配列されるようなタイプのものも施工されている。
【０００３】
このタイプの集合住宅においては、二階の入居者は、一階の住戸別玄関とその奥の専用内階段を通って、二階の居室への出入りを行うことになるが、この内階段は、玄関が隣接する一階の住戸の居室と、界壁（集合住宅において各住戸の間を仕切る壁）一枚を隔てて隣接しているため、階段使用時の騒音や振動が問題となる。
【０００４】
より具体的には、木造住宅において施工される内階段は、昇降時の騒音や振動が他の部屋へ伝達されてしまうという問題があるところ、一戸建て住宅においては、通常、階段使用者は同居者等に限定されているため、階段昇降時に多少の騒音や振動が発生しても問題になることはないが、上記のような複数世帯が入居する木造集合住宅において、内階段の使用時に騒音や振動が発生すると、入居世帯間で問題が生じかねない。
【先行技術文献】
【特許文献】
【０００５】
【特許文献１】実開平０３−７１０２９号公報
【特許文献２】実開平０５−２８８２４号公報
【特許文献３】特開平１１−１５９０９５号公報
【特許文献４】特開２０１６−０８９４１５号公報
【発明の概要】
【発明が解決しようとする課題】
【０００６】
階段使用時に生じる騒音や振動を低減するための方法として、段板と、これを支持する部材との間に、弾性材料からなる防振材を配置することが知られている（特許文献１〜３参照）。この場合、階段使用者が段板を踏み込んだ際に段板に作用する衝撃を、防振材を配置しない場合と比較して、ある程度吸収することができ、一定の範囲で騒音、振動の低減効果が期待できるが、上記のような複数世帯が入居する木造集合住宅における内階段を対象とする騒音振動対策としては、十分であるとは言い難い。
【０００７】
本発明は、このような従来技術における問題を解決しようとするものであって、使用時における騒音の発生を可及的に抑制するとともに、階段室外への振動の伝達を効果的に遮断できる高遮音階段を提供することを目的とする。
【課題を解決するための手段】
【０００８】
本発明に係る高遮音階段は、Ｌ字型に接合される二枚の廻り側板によって廻り段板の外側端部が支持される廻り段部と、平行に配置される二枚の直側板によって矩形段板の両端部がそれぞれ支持される直状部と、を有する階段において、階下側の床面上に、階段室の内壁と接触しない自立フレームが形成され、廻り側板及び廻り段板が、階段室の内壁から間隔を置いた位置で、内壁から独立して自立フレーム上に支持され、直側板の上端部又は下端部のいずれかが自立フレーム上に支持され、直側板及び矩形段板が、階段室の内壁から間隔を置いた位置で、内壁から独立して支持されていることを特徴としている。
【０００９】
尚、直状部が、階下側の床面と廻り段部との間に形成される階下側直状部と、廻り段部と階上側の上段框との間に形成される階上側直状部とを含む高遮音階段においては、階下側直状部の直側板の上端部、及び、階上側直状部の直側板の下端部が自立フレーム上に支持されていることが好ましい。
【００１０】
また、階下側直状部を構成する直側板の各下端部、階上側直状部を構成する直側板の各上端部、自立フレームのベースの下側、及び／又は、階段室の内壁の内部に、防振材が配置されていることが好ましい。
【発明の効果】
【００１１】
本発明に係る高遮音階段においては、すべての側板（廻り側板、直側板）及び段板（廻り段板、矩形段板）が、階段室の内壁から内側へ一定の間隔を置いた位置で、内壁と接触せず、内壁から独立した状態で支持されており、かつ、これらの側板及び段板を支持する自立フレームについても、内壁と接触しない状態となっているため、段板が荷重を受けた際に発生した振動が、界壁へ伝達されることを防止し、階段室外（界壁を隔てて隣接する隣室等）への振動の伝達を効果的に遮断することができる。
【図面の簡単な説明】
【００１２】
【図１】図１は、本発明に係る高遮音階段において使用される自立フレーム１の平面図である。
【図２】図２は、図１に示す自立フレーム１の斜視図である。
【図３】図３は、図１の自立フレーム１上に支持される側板１１〜１６の側面図である。
【図４】図４は、図１の自立フレーム１による廻り側板（上段）１３、及び、廻り側板（下段）１４の支持構造の説明図である。
【図５】図５は、図１の自立フレーム１による直側板（外側下段）１５、及び、直側板（内側下段）１６の支持構造の説明図である。
【図６】図６は、図１の自立フレーム１による直側板（外側上段）１１、及び、直側板（内側上段）１２の下端側の支持構造の説明図である。
【図７】図７は、直側板（外側上段）１１、及び、直側板（内側上段）１２の上端側の支持構造の説明図である。
【図８】図８は、直側板（外側上段）１１、直側板（内側上段）１２、及び、段板２１等の断面図である。
【図９】図９は、内壁７，８の断面図である。
【発明を実施するための形態】
【００１３】
以下、本発明に係る高遮音階段を実施するための形態について説明する。従来の木造建築における一般的な階段は、段板の両端を支持させる側板が、階段室の内壁（界壁等）に対して固定されていたが、本発明に係る高遮音階段においては、段板、及び、段板を支持する側板が、階段室の内壁から内側へ一定の間隔を置いた位置（内壁と接触しない位置）で、内壁から独立して支持されるように構成されており、段板が荷重を受けた際に発生する振動が、段板及び側板を介して内壁（界壁等）へ伝達されることを防止し、階段室外（界壁を隔てて隣接する隣室等）への振動、騒音の伝達を効果的に遮断できるようになっている。
【００１４】
具体的には、本発明に係る高遮音階段は、Ｌ字型に接合される二枚の廻り側板によって廻り段板の外側端部が支持される「廻り段部」と、間隔を置いて平行に配置される二枚の直側板によって矩形段板の両端部がそれぞれ支持される「直状部」とを有し、更に、直状部が、階下側の床面と廻り段部との間に形成される「階下側直状部」と、廻り段部と階上側の上段框との間に形成される「階上側直状部」とを含み、廻り段部において、廻り側板とその上に載置される廻り段板が、階下側の床面上に形成された櫓状の自立フレームによって内壁から独立して支持され、階下側直状部、及び、階上側直状部においても、直側板とその上に載置される矩形段板が自立フレームによって内壁から独立して支持される構造となっている。
【００１５】
図１は、側板及び段板を内壁から独立して支持するために階下側の床面上に形成される自立フレーム１の平面図であり、図２は、その斜視図である。これらの図に示すように、自立フレーム１は、ベース２ａ，２ｂと、五本の垂直な支柱（支柱（外側下段）３ａ、支柱（内側下段）３ｂ、支柱（外側中段）３ｃ、支柱（外側上段）３ｄ、及び、支柱（内側上段）３ｅ）と、隣接する支柱同士を連結して自立フレーム１の剛性を向上させる六本の連結材４ａ〜４ｆとによって構成されている。
【００１６】
支柱（外側下段）３ａ、支柱（外側中段）３ｃ、及び、支柱（外側上段）３ｄは、図１に示すように、階段室の内壁７（化粧板）から内側へ一定の間隔を置いた位置に配置されており、内壁７と接触しない状態となっている。また、支柱（内側下段）３ｂ、及び、支柱（内側上段）３ｅも、内壁８（化粧板）から内側へ間隔を置いた位置に配置されており、内壁８と接触しない状態となっている。また、連結材４ａ〜４ｆの端部も、内壁７，８と接触しない状態となっている。
【００１７】
尚、支柱（外側下段）３ａ、支柱（内側下段）３ｂ、及び、支柱（内側上段）３ｅは、ベース２ａの下方側から打ち込まれたビスによってベース２ａに対して固定されており、支柱（外側中段）３ｃ、及び、支柱（外側上段）３ｄは、ベース２ｂの下方側から打ち込まれたビスによってベース２ｂに対して固定されている。また、ベース２ａ及びベース２ｂは、上方側から打ち込まれたビスによって、設置面（廻り段部が形成される階下側の床面）上に固定されている。
【００１８】
ベース２ａ及びベース２ｂの下側には、図２に示すように、防振ゴム６（例えば、厚さ１０ｍｍのシート状防振ゴム材）がそれぞれ配置されており、階段使用時に発生する振動が、自立フレーム１を介して床面に伝達されることを、効果的に抑制できるようになっている。
【００１９】
図３は、自立フレーム１上に支持される側板の側面図である。より詳細には、図３（１）は直側板（外側上段）１１の側面図、図３（２）は直側板（内側上段）１２の側面図、図３（３）は廻り側板（上段）１３の側面図、図３（４）は廻り側板（下段）１４の側面図、図３（５）は直側板（外側下段）１５（実線）、及び、直側板（内側下段）１６（実線及び破線）の側面図である。図示されているように、いずれの側板においても、複数の水平段部１７が形成されるとともに、一方の端部又は両端部に、係合突起１８ａ〜１８ｈ又は係合段部１９ａ，１９ｂが形成されている。尚、図３（５）において破線で示すように、直側板（内側下段）１６は、上端部の係合突起１８ｈが、直側板（外側下段）１５の上端部の係合突起１８ｇよりも高さ寸法及び横幅寸法が大きく設定されている。
【００２０】
図３に示す各側板１１〜１６は、図４〜図６に示すように、自立フレーム１上において、階段室の内壁７，８（図１参照）と接触しない位置で、内壁７，８から独立して支持されている。より具体的に説明すると、図４に示すように、廻り段部を構成する廻り側板（上段）１３は、上方側の係合突起１８ｃが自立フレーム１の支柱（外側上段）３ｄの上に載置され、下方側の係合突起１８ｄが支柱（外側中段）３ｃの上に載置された状態で、上方から打ち込まれたビスによって自立フレーム１上に固定されている。
【００２１】
廻り側板（下段）１４は、上方側の係合突起１８ｅが、自立フレーム１の支柱（外側中段）３ｃ及び廻り側板（上段）１３の係合突起１８ｄの上に載置され、下方側の係合突起１８ｆが、支柱（外側下段）３ａの上に載置され、上方から打ち込まれたビスによって自立フレーム１上に固定されている。
【００２２】
このように、二枚の廻り側板（廻り側板（上段）１３、及び、廻り側板（下段）１４）は、Ｌ字型に接合された状態で自立フレーム１上に支持されている。尚、廻り側板（上段）１３と廻り側板（下段）１４の接合部の入隅部分には、図５に示すように、接合部を補強するため、補強材９（例えば、角材等）（廻り側板（上段）１３、及び、廻り側板（下段）１４の双方に対してビス止めされている）が当接されている。
【００２３】
階下側直状部を構成する直側板（外側下段）１５は、図５に示すように、上方側の係合突起１８ｇが自立フレーム１の支柱（外側下段）３ａ及び廻り側板（下段）１４の係合突起１８ｆの上に載置され、上方から打ち込まれたビスによって上端側が自立フレーム１上に固定されている。また、直側板（内側下段）１６も同様に、内壁８（図１参照）から間隔を置いた位置において、上方側の係合突起１８ｈが自立フレーム１の支柱（内側下段）３ｂの上に載置され、上方から打ち込まれたビスによって上端側が自立フレーム１上に固定されている。
【００２４】
尚、直側板（外側下段）１５及び直側板（内側下段）１６の各下端部は、防振ゴム６を介して床面上に固定（ビス止め）されている。
【００２５】
階上側直状部を構成する直側板（外側上段）１１は、図６に示すように、下方側の係合段部１９ａが自立フレーム１の支柱（外側上段）３ｄ及び廻り側板（上段）１３の係合突起１８ｃの上に載置され、ビス止めされることによって下端側が自立フレーム１上に固定されている。直側板（内側上段）１２も同様に、内壁８（図１参照）から間隔を置いた位置において、下方側の係合段部１９ｂが自立フレーム１の支柱（内側上段）３ｅの上に載置され、ビス止めされることによって下端側が自立フレーム１上に固定されている。
【００２６】
尚、支柱（外側上段）３ｄの上端側部から直側板（外側上段）１１の係合段部１９ａの側部にかけて、図示しない補強材（例えば、角材、金属プレート等）（支柱（外側上段）３ｄ、係合突起１８ｃ、及び、係合段部１９ａに対してビス止めされている）が取り付けられている。また、支柱（内側上段）３ｅの上端側部から直側板（内側上段）１２の係合段部１９ｂの側部にかけても、図示しない補強材（支柱（内側上段）３ｅ、及び、係合段部１９ｂに対してビス止めされている）が取り付けられている。
【００２７】
直側板（外側上段）１１及び直側板（内側上段）１２の上方側の係合突起１８ａ，１８ｂは、図７に示すように、上段框の下側に予め形成しておいた框下段部２０（例えば、上段框の下側の梁材の垂直面に角材をビス止めして形成される）の上に防振ゴム６を介して載置され、上方から打ち込まれたビスによって固定されている。
【００２８】
階上側直状部において、段板２１（矩形段板）は、図８に示すように、直側板（外側上段）１１、及び、これに対向する直側板（内側上段）１２の各水平段部１７の上に、防振ゴム６を介して載置され、各側板１１，１２にビス止めされている。
【００２９】
尚、図８に示すように、各側板１１，１２及び段板２１の両端部２１ａ，２１ｂと、内壁７，８との間には、それぞれ隙間Ｃが形成されており、各側板１１，１２と段板２１は、内壁７，８と接触せず、独立した状態で支持されている。また、段板２１の上面には、階段使用時における衝撃を吸収できる表面材２２が貼着されている。更に、段板２１の両端部２１ａ，２１ｂの上方には、隙間Ｃが隠れるように、内壁７，８に化粧側板２３が取り付けられている。
【００３０】
また、図９に示すように内壁７，８を、二枚の石膏ボード２５，２６（例えば厚さ１２．５ｍｍ）、及び、化粧ボード２７によって構成し、石膏ボード２５，２６の間に制振材５を配置した場合には、遮音効果の更なる向上が期待できる。尚、この場合、制振材５としては、ブチルゴム系の樹脂を厚さ０．５ｍｍ程度のシート状に成形したもの（例えば、イイダ産業株式会社製  ＸＥＴＯＲＯ（登録商標）ＮＶ−αIIなど）を用いることが好ましい。
【００３１】
階下側直状部においても、図８に示す階上側直状部と同様の態様で、段板（矩形段板）が支持されている。つまり、図５に示す直側板（外側下段）１５と、これに対向する直側板（内側下段）１６）の各水平段部の上に、防振ゴムを介して段板が載置され、内壁７，８（図１参照）との間にそれぞれ隙間が形成され、段板が内壁７，８と接触しない状態となっている。
【００３２】
また、廻り段部においても、図８に示す階上側直状部と同様の態様で、段板（廻り段板）の外側端部が支持されている。つまり、図５に示す廻り側板（上段）１３と、廻り側板（下段）１４の各水平段部の上に、防振ゴムを介して段板の外側端部が載置され、内壁７（図１参照）との間にそれぞれ隙間が形成され、段板の外側端部が内壁７と接触しない状態となっている。また、段板の内側端部についても内壁８（図１参照）と接触しない状態で支持されている。
【００３３】
以上に説明したように、本発明に係る高遮音階段においては、すべての側板１１〜１６及び段板（矩形段板及び廻り段板）が、階段室の内壁７，８から内側へ一定の間隔を置いた位置で、内壁７，８と接触せず、内壁７，８から独立した状態で支持されており、かつ、これらの側板１１〜１６及び段板を支持する自立フレーム１についても、内壁７，８と接触しない状態となっている。
【００３４】
このため、階段使用時において段板が荷重を受けた際に発生する振動、騒音が、段板及び側板を介して内壁（界壁等）へ伝達されることを防止し、階段室外（界壁を隔てて隣接する隣室等）への振動、騒音の伝達を効果的に遮断することができる。
【００３５】
尚、上記実施形態においては、図９において、内壁７，８の内部に制振シート５が配置される例が示され、また、図２、図５、図７において、ベース２ａ，２ｂの下側、直側板（外側下段）１５及び直側板（内側下段）１６の下側、直側板（外側上段）１１及び直側板（内側上段）１２の上端部と框下段部２０との間などに防振ゴム６が配置される例が示されているが、これらの制振シート５、或いは、防振ゴム６としては、防音性、防振性、或いは、遮音性を有する防振材であれば、どのようなものを用いることもできる。
【符号の説明】
【００３６】
１：自立フレーム、
２ａ，２ｂ：ベース、
３ａ：支柱（外側下段）、
３ｂ：支柱（内側下段）、
３ｃ：支柱（外側中段）、
３ｄ：支柱（外側上段）、
３ｅ：支柱（内側上段）、
４ａ〜４ｆ：連結材、
５：制振シート、
６：防振ゴム、
７，８：内壁、
９：補強材、
１１：直側板（外側上段）、
１２：直側板（内側上段）、
１３：廻り側板（上段）、
１４：廻り側板（下段）、
１５：直側板（外側下段）、
１６：直側板（内側下段）、
１７：水平段部、
１８ａ〜１８ｈ：係合突起、
１９ａ，１９ｂ：係合段部、
２０：框下段部、
２１：段板、
２１ａ，２１ｂ：端部、
２２：表面材、
２３：化粧側板、
２５，２６：石膏ボード、
２７：化粧ボード、
Ｃ：隙間、
【図１】
0006725334.tif 000002
【図２】
0006725334.tif 000003
【図３】
0006725334.tif 000004
【図４】
0006725334.tif 000005
【図５】
0006725334.tif 000006
【図６】
0006725334.tif 000007
【図７】
0006725334.tif 000008
【図８】
0006725334.tif 000009
【図９】
0006725334.tif 000010